(57)【要約】【課題】小動物ペットの開放された寛ぎの場所を提供すると同時に室内外でのインテリア的な機能を併せ持ったペットハウスとする。【解決手段】ペットを載置収容する台座２と、該台座２の周囲に天面を開放した状態で配した透明な板材による囲繞パネル３とを備え、台座２の下面側には、当該台座２を必要な高さ位置で支持するよう接地面部４ａと起立脚部４ｂとからなる支持架台４を設ける。支持架台４の接地面部４ａ下面には移動用キャスターＫを付設し、囲繞パネル３の一部には揺動ドア構造による出入口Ｇを設ける。囲繞パネル３は、台座２周囲に適宜の間隔で起立配置した支柱７相互間で上方から嵌め込み可能となして配置する。台座２、支持架台４それぞれの周面には、インテリア彫刻もしくはインテリア宝飾を付設する。【選択図】図２
0003136650.tif 000002
【実用新案登録請求の範囲】
【請求項１】
ペットを載置収容する台座と、該台座の周囲に天面を開放した状態で配した透明な板材による囲繞パネルとを備えたことを特徴とするペットハウス。
【請求項２】
台座の下面側には、当該台座を必要な高さ位置で支持させるよう接地面部と起立脚部とからなる支持架台を設けた請求項１記載のペットハウス。
【請求項３】
支持架台の接地面部下面には、移動用キャスターを付設した請求項２記載のペットハウス。
【請求項４】
囲繞パネルの一部には、揺動ドア構造による出入口を設けた請求項１乃至３のいずれか記載のペットハウス。
【請求項５】
囲繞パネルは、台座周囲に適宜の間隔で起立配置させた支柱相互間で上方から嵌め込み可能となって配置される請求項１乃至４のいずれか記載のペットハウス。
【請求項６】
台座、支持架台それぞれの周面には、インテリア彫刻もしくはインテリア宝飾が付設されてなる請求項２乃至５のいずれか記載のペットハウス。
【請求項７】
ペットを載置収容し、周面にインテリア彫刻もしくはインテリア宝飾が付設されてなる台座と、該台座の周囲に適宜の間隔で起立配置させた支柱相互間で上方から嵌め込み可能とし且つ天面を開放した状態で配され、一部に揺動ドア構造による出入口を設けてなる透明な板材による囲繞パネルとを備え、台座の下面側には、当該台座を必要な高さ位置で支持させるよう移動用キャスターを付設した接地面部および該接地面部上面に立設した起立脚部それぞれからなり、周面にインテリア彫刻もしくはインテリア宝飾が付設されてなる支持架台を設けたことを特徴とするペットハウス。
【考案の詳細な説明】
【技術分野】
【０００１】
本考案は、例えば犬・猫等の小動物ペットを囲って収容し、人の居住空間である住宅の室内や屋外等のインテリアとしても利用可能となるペットハウスに関する。
【背景技術】
【０００２】
従来から、人の居住空間である住宅の室内で例えば犬・猫等の小動物ペットを飼う場合、ケージと呼ばれる柵型のペットハウスを室内に設置していたのであるが、近年では人の居住空間である室内において、ペットハウス自体を室内インテリアとの調和を保つことで、違和感を生じさせないものとした数多くのペットハウスが提案されている。
【０００３】
すなわち、この種のペットハウスとしては、例えば特許文献１に開示されているように、段ボール等の紙材にて形成され、内部にペット収容室を有する内側ケースと、この内側ケースに一体に組み付けられると共に、該内側ケースを覆うように外周に配置された外側ケースとを備え、該外側ケースには、打ち抜きによって文字が形成されてなるペットハウスが存在する。
【０００４】
また、特許文献２に開示されているように、発泡スチロール等の発泡プラスチックを芯材とし、その表面にポリオールとイソシアネートを別々に加熱しながらスプレーガンに導入して混合・反応させながらポリウレタン塗装をし、さらにその表面にヒートレスガラスを塗布したパネルを組み立ててペットハウスとし、そのペットハウス内に波長６〜３０μｍの遠赤外線を多く発生することができるヒーターとペルチエ素子集積板とを配設してなるペットハウスが存在する。
【０００５】
さらに、特許文献３に開示されているように、直方体の骨組み本体の裏面と底部を板等の適宜素材にて覆い、正面と両側面に取外し自在の金属製・合成樹皮・木製等のネットを設け、上面の後方３分の１の面を板等の適宜素材にて固定し、上面の前方３分の２部分を同一材質による蝶番を取付けた開閉式の蓋を設け、前面中央に補強材を垂直に設けて人が腰掛けられるベンチ式とし、裏面を除く周囲３面のネットを取外し自在とし解放面を多用し上面を開閉式とし、両サイドを連結可能とし多義の機能性を取り入れ、ペットの住まいとベンチの機能を併せた室内用ベンチ式ペットハウスなる技術が存在する。
【特許文献１】特開２００６−２０４２０４号公報
【特許文献２】特開２００２−２６２６９２号公報
【特許文献３】実用新案登録第３１２２８０４号公報
【考案の開示】
【考案が解決しようとする課題】
【０００６】
しかしながら、このような従来のペットハウスにおいては、特許文献１のペットハウスでは、ペットハウスの外側ケースに打ち抜きによって文字が形成されていてもペットハウス自体は段ボール等の紙材にて形成されていることから、外観的には何等のインテリア的な機能を有していない。
【０００７】
また、特許文献２のペットハウスでは、ポリウレタン塗装とヒートレスガラス塗布とによるパネルを組み立てることでペットハウスを形成しても、ペットハウス自体は発泡スチロール等の発泡プラスチックを芯材としている。そのため、従来のケージと呼ばれる柵型のペットハウスと変わらない所謂ペット小屋というイメージが強く、特許文献１の場合と同様に外観的には何等のインテリア的な機能を有していないと同時に、ペットに対して開放的な寛ぎの場所を与えることができない。
【０００８】
さらに、特許文献３の室内用ベンチ式ペットハウスでは、ペットの住まいとベンチの機能を併せた室内用ベンチ式ペットハウスであっても、骨組み本体の裏面と底部を板等の適宜素材にて覆い、正面と両側面に取外し自在の金属製・合成樹皮・木製等のネットを設けていることから、従来のケージと呼ばれる柵型のペットハウスと変わらない所謂ペット小屋というイメージが強い。しかも、特許文献１および特許文献２の場合と同様に外観的には何等のインテリア的な機能を有していないと同時に、ペットに対して開放的な寛ぎの場所を与えることができない。
【０００９】
そこで、本考案は叙上のような従来存した諸事情に鑑み創案されたもので、小動物ペットの開放された寛ぎの場所を付与すると同時に室内外でのインテリア的な機能を併せ持つことができ、これによって人の居住空間である室内、あるいはベランダ、テラス等の屋外におけるインテリアとの調和を保つことができ、従来のケージと呼ばれる柵型のペット小屋というイメージによる違和感を生じさせないものとしたペットハウスを提供することを目的とする。
【課題を解決するための手段】
【００１０】
上述した課題を解決するため、本考案にあっては、ペットを載置収容する台座２と、該台座２の周囲に天面を開放した状態で配した透明な板材例えば合成樹脂板による囲繞パネル３とを備えて、ペットハウス１を構成したものである。
台座２の下面側には、当該台座２を必要な高さ位置で支持させるよう接地面部４ａと起立脚部４ｂとからなる支持架台４を設けたものとすることができる。
支持架台４の接地面部４ａ下面には、移動用キャスターＫを付設したものとすることができる。
囲繞パネル３の一部には、揺動ドア構造による出入口Ｇを設けたものとすることができる。
囲繞パネル３は、台座２周囲に適宜の間隔で起立配置させた支柱７相互間で上方から嵌め込み可能となって配置されるものとすることができる。
台座２、支持架台４それぞれの周面には、インテリア彫刻もしくはインテリア宝飾が付設されてなるものとできる。
【００１１】
以上のように構成された本考案に係るペットハウス１にあって、透明な板材による囲繞パネル３は、台座２の周囲に天面を開放した状態で配されていることから、小動物ペットに開放された寛ぎの場所を提供させる。
接地面部４ａと起立脚部４ｂとからなる支持架台４は、台座２を必要な高さ位置で支持させ、例えば飼い主の目線とほぼ同一の高さ位置とさせる。
支持架台４の接地面部４ａ下面に配した移動用キャスターＫは、台座２を室内外の任意の場所に移動可能にさせる。
揺動ドア構造による出入口Ｇは、ペットの出し入れを容易にさせる。
台座２周囲の支柱７相互間で上方から嵌め込み可能となって配置される囲繞パネル３は、台座２の平面状での区画、外郭に対応して例えば円形状・楕円形状・長円形状・矩形状・多角形状等の種々の形状に対応して配置可能にさせる。
周面にインテリア彫刻もしくはインテリア宝飾が付設されてなる台座２、支持架台４は、小動物ペットの寛ぎの場所を提供するペットハウス１に、ゴージャスで綺麗な彫刻性・宝飾性を付与させ、室内外でのインテリア的な機能を提供させる。
【考案の効果】
【００１２】
本考案によれば、犬等の小動物ペットの開放された寛ぎの場所を提供すると同時に室内外でのインテリア的な機能を併せ持つことができ、これによって人の居住空間である室内、あるいはベランダ、テラス等の屋外におけるインテリアとの調和を保つことができ、従来のケージと呼ばれる柵型のペット小屋というイメージによる違和感を生じさせないものとなる。
【００１３】
すなわち、これは本考案が、ペットを載置収容する台座２と、該台座２の周囲に天面を開放した状態で配した透明な板材による囲繞パネル３とを備えたからであり、これにより、小動物ペットに開放された寛ぎの場所を提供させると同時に、透明な板材による囲繞パネル３によりクリア感を発揮させることができる。
【００１４】
台座２の下面側には、当該台座２を必要な高さ位置で支持させるよう接地面部４ａと起立脚部４ｂとからなる支持架台４を設けたので、小動物ペットの寛ぎの場所を提供するペットハウス１に室内外でのインテリア的な機能を付与することができる。
【００１５】
支持架台４の接地面部４ａ下面には、移動用キャスターＫを付設したので、台座２を室内外の任意の場所に移動して設置させることができる。
【００１６】
囲繞パネル３の一部には、揺動ドア構造による出入口Ｇを設けたので、ペットの出し入れが容易となると同時に、該出入口Ｇによって囲繞パネル３自体の外観を損なうことがない。
【００１７】
囲繞パネル３は、台座２周囲に適宜の間隔で起立配置させた支柱７相互間で上方から嵌め込み可能となって配置されるものとしたので、台座２の例えば円形状・楕円形状・長円形状・矩形状・多角形状等の種々の形状に対応して囲繞パネル３を容易に組み込み配置することができる。
【００１８】
台座２、支持架台４それぞれの周面には、インテリア彫刻もしくはインテリア宝飾が付設されてなるので、小動物ペットの寛ぎの場所を提供するペットハウス１に、ゴージャスで綺麗な彫刻性・宝飾性を付与させることから、室内外での立体的なインテリア機能を十分に発揮させることができる。
【００１９】
尚、上記の課題を解決するための手段、考案の効果の項それぞれにおいて付記した符号は、図面中に記載した構成各部を示す部分との参照を容易にするために付したもので、図面中の符号によって示された構造・形状に本考案が限定されるものではない。
【考案を実施するための最良の形態】
【００２０】
以下、図面を参照して本考案を実施するための最良の一形態を説明する。図において示される符号１は、例えば犬・猫等の小動物ペットに開放された寛ぎの場所を与えるためのペットハウスである。該ペットハウス１は、図１および図２に示すように、例えば犬・猫等の小動物によるペットを載置収容するための上面にシート状のマットＭを敷設してなる円形状の台座２と、該台座２の周囲に天面を開放した状態で配した例えばアクリル樹脂板、強化ガラス板等の透明な板材によって形成された囲繞パネル３とを備えている。
【００２１】
台座２は、厚みのある円盤状の木材によって形成され、その周面にはインテリア的なモザイク彫刻を施したり、あるいは例えば模擬ダイヤ等の透明ガラス状の模擬宝飾品を多数にして配列することで付設したりしてある。
【００２２】
また、図３に示すように、台座２の周縁は上方に一体となって切り立った環状の枠部２ａとなっており、この枠部２ａの内側に、例えばアクリル樹脂板を平面で円形状となるように彎曲形成してなる囲繞パネル３が嵌め込まれる。この囲繞パネル３は、枠部２ａ外面の例えば１２０°間隔毎に設けられたネジ孔２ｂに押さえネジ２ｃをねじ込み、該押さえネジ２ｃの先端を囲繞パネル３の外面に圧接状に支持することで台座２にしっかりと固定されるようにしてある。
【００２３】
囲繞パネル３の一部には、揺動ドア構造による出入口Ｇを設け、ペットの出し入れあるいは出入りを可能としてある。すなわち、囲繞パネル３の一部を例えば上側からコ字状に切断して当該切断部分を扉３ａとし、この扉３ａの一端に蝶番３ｂを介して出入口Ｇの一端縁部に開閉可能となるように揺動自在に連結してある。
【００２４】
そして、図１に示すように、出入口Ｇの他端縁部、扉３ａの開放側端部それぞれの外面同士にかけて例えばかんぬき式錠Ｐが設けられている。すなわち、このかんぬき式錠Ｐは、出入口Ｇの他端縁部に蝶番３ｂを介して帯板状の係止片３ｃの基端部を回動自在に取り付け、係止片３ｃの先端部側に設けた横長の孔部３ｄに、扉３ａの開放側端部に突設したリング部３ｅを挿入してから、一端を略Ｕ字状に折曲してなる例えばアクリル樹脂製の鍵棒３ｆを当該リング部３ｅに挿入することで出入口Ｇに対し扉３ａが閉塞固定されるようにしてある。もとより、かんぬき式錠Ｐは、収容したペットが逃げ出さないようするもので、扉３ａをしっかりと閉鎖固定できれば良いから、これに限定されないことは勿論である。
【００２５】
台座２自体は、室内等の床面に直接設置させて使用することもできるが、当該台座２を必要な高さ位置で支持させて使用する場合には、後述する支持架台４の上側に台座２を取り付けて設置するものとしてある。こうすることで、例えば飼い主の目線高さにほぼ対応させることができると共に、ペットの出し入れ等を容易にさせることができる。
【００２６】
すなわち、支持架台４は、例えば円形状の台座２の円形面積と略同じ円形で且つ下面に少なくとも３つのストッパー付き移動用キャスターＫを付設してなる接地面部４ａと、該台座２面部の上面周囲に例えば６本の棒状にして等間隔に立設してなる起立脚部４ｂとからなる。そして、各起立脚部４ｂの上端に形成した係合突部５を、台座２の下面に形成した６つの係合孔部６それぞれに嵌着して固定させるようにしてある。
【００２７】
尚、この台座２下面の係合孔部６のうちのいずれか３つをストッパー付き移動用キャスターＫの装着用孔として利用しても良い。
【００２８】
また、支持架台４において、台座２と同様に、接地面部４ａの周面にはインテリア的なモザイク彫刻を施したり、あるいは例えば模擬ダイヤ等の透明ガラス状の模擬宝飾品を多数にして配列することで付設したりしてある。
【００２９】
ペットハウス１の使用に際し、台座２は、室内等の床面に直接設置して使用する。また、台座２を必要な高さ位置で支持させて使用する場合には、図１に示すように、支持架台４の起立脚部４ｂの上端の係合突部５を台座２下面の係合孔部６に係合させて使用する。このとき、支持架台４の移動用キャスターＫによって台座２を室内外の所定の位置に移動して設置する。
【００３０】
そして、囲繞パネル３の開放された天面からペットを入れるか、あるいはかんぬき式錠Ｐの鍵棒３ｆを扉のリング部３ｅから外し、係止片３ｃの孔部３ｄからリング部３ｅを抜脱して扉３ａを開き、これによって開放された出入口Ｇからペットを入れる。ペットの収容後には、扉３ａを閉めてリング部３ｅを係止片３ｃの孔部３ｄに挿入し、外側からリング部３ｅに鍵棒３ｆを挿入する。
【００３１】
こうして、ペットは天面が開放されている状態で台座２上面のマットＭ上で寛ぐ。このとき、ペットは、透明な板材による囲繞パネル３によて囲まれた状態で収容されるため、ペットハウス１自体がクリア感を発揮することから、室内外の他のインテリア家具等との間に違和感を生じさせない。
【００３２】
また、図４および図５には本考案に係るペットハウス１の他例が示されており、本例においては、囲繞パネル３は、台座２周囲に適宜の間隔で起立配置させた支柱７相互間で上方から嵌め込み可能となって配置されるものとしてある。尚、本例において、上記した形態における構成と同じ部分には同じ符号を付与することでその詳細な説明を省略する。
【００３３】
すなわち、台座２は金属製材を厚みのある略矩形状で且つ一端部を外方に向けて円弧状に形成してなる湾曲部Ｒを有しており、該湾曲部Ｒを含む台座２の全周面にはインテリア的なモザイク彫刻を施したり、あるいは例えば模擬ダイヤ等の透明ガラス状の模擬宝飾品を多数にして配列することで付設したり等してある。
【００３４】
そして、台座２上面の周縁における、例えば２つの角部および湾曲部Ｒの両端位置には、頭部に例えば立体塔状の装飾を付与してなる支柱７が設けられている。更に例えば角部における支柱７の側面には、台座２の直角側面方向に対応して９０°間隔の一対のコ字枠状の挿入部７ａが長手方向に沿って一体形成されており、また、湾曲部Ｒの両端位置における支柱７の側面には、台座２の直線部分から湾曲部Ｒにかけての連続した側面方向に対応して略１８０°間隔の一対のコ字枠状の挿入部７ａが長手方向に沿って一体形成されている。
【００３５】
一方、透明な板材による囲繞パネル３は、台座２上面の周縁における３つの直線部分に対応して例えば３つの矩形板状に形成された囲繞パネル３と、例えば１つの湾曲部Ｒに対応して１つの半円弧状に彎曲形成された囲繞パネル３とからなる。そして、これら支柱７の相互間で、各囲繞パネル３の両端を当該支柱７の挿入部７ａに上方から嵌め込ませることで各囲繞パネル３が台座２周縁上に配置される。
【００３６】
支持架台４は、台座２と略同じ形状で且つ下面に少なくとも３つのストッパー付き移動用キャスターＫを付設してなる接地面部４ａと、該台座２面部の上面中央に立設した金属製の起立脚部４ｂとからなる。そして、起立脚部４ｂの上端に形成した例えば複数の取付突部５を、台座２の下面に形成した複数の取付孔部６それぞれに嵌着して固定させるようにしてある。
【００３７】
また、台座２と同様に、接地面部４ａの周面にはインテリア彫刻を施したり、あるいは例えば模擬ダイヤ等の透明ガラス状の模擬宝飾品を敷き詰めた状態に付設されている。
【００３８】
尚、本例においても、前記した構成と同様に、台座２を支持架台４を使用せずに単独で使用しても良いことは云うまでもない。また、台座２の形状等は上記した構成に限定されず、これ以外に例えば楕円形状・長円形状・矩形状・多角形状等の種々の形状とし、その台座２形状に対応して平面で直線状、湾曲状、更には波形状その他の囲繞パネル３を組み込み配置可能にして構成しても良いことは云うまでもない。
【図面の簡単な説明】
【００３９】
【図１】本考案を実施するための最良の形態におけるペットハウスを示す分解斜視図である。
【図２】同じく斜視図である。
【図３】同じくペットハウスの縦断面図である
【図４】ペットハウスの他例を示す分解斜視図である。
【図５】同じく斜視図である。
【符号の説明】
【００４０】
Ｐ…かんぬき式錠                        Ｍ…マット
Ｇ…出入口                              Ｒ…湾曲部
Ｋ…移動用キャスター
１…ペットハウス                        ２…台座
２ａ…枠部                              ２ｂ…ネジ孔
２ｃ…押さえネジ                        ３…囲繞パネル
３ａ…扉                                ３ｂ…蝶番
３ｃ…係止片                            ３ｄ…孔部
３ｅ…リング部                          ３ｆ…鍵棒
４…支持架台                            ４ａ…接地面部
４ｂ…起立脚部                          ５…係合突部
６…係合孔部                            ７…支柱
７ａ…挿入部
【図１】
0003136650.tif 000003
【図２】
0003136650.tif 000004
【図３】
0003136650.tif 000005
【図４】
0003136650.tif 000006
【図５】
0003136650.tif 000007